(57)【要約】【課題】  製造工程を単純化して生産性を向上させると共に製造費用を減らすことができる。【解決手段】  本発明はパンツ本体と、前記パンツ本体の前面に装着され陰茎が収容される陰茎収容部および陰嚢が収容される陰嚢収容部を備えた収容部とを含み、前記収容部は前記パンツ本体の左側に装着される第１シートと、前記パンツ本体の右側に装着される第２シートが相互接合されて形成され、前記第１シートと第２シートの接合部は陰茎が収容される第１凸部と、陰嚢が収容される第２凸部と、第１凸部と第２凸部の間に形成されて前記陰茎収容部と陰嚢収容部の間を区画する凹部とで構成される。【選択図】  図１
2016156122.tif 000002
【特許請求の範囲】
【請求項１】
パンツ本体と、前記パンツ本体の前面に装着され陰茎が収容される陰茎収容部および陰嚢が収容される陰嚢収容部を備えた収容部とを含み、
前記収容部は前記パンツ本体の左側に装着される第１シートと、前記パンツ本体の右側に装着される第２シートが相互接合されて形成され、
前記第１シートと第２シートの接合部は陰茎が収容される第１凸部と、陰嚢が収容される第２凸部と、第１凸部と第２凸部の間に形成されて前記陰茎収容部と陰嚢収容部の間を区画する凹部とを含むことを特徴とする男性用機能性パンツ。
【請求項２】
前記第１シートにはその一面に曲面形態に突出した第１凸面と、
前記第１凸面の下側に延びて凹むような形態に形成される第１凹面と、
前記第１凹面の下側に延びて曲面形態に突出した第２凸面とが形成されることを特徴とする請求項１に記載の男性用機能性パンツ。
【請求項３】
前記第２シートにはその一面に前記第１凸面と接合されて第１凸部を形成する第３凸面と、
前記第３凸面の下側に形成され前記第１凹面と接合されて凹部を形成する第２凹面と、
前記第２凸面と接合されて第２凸部を形成する第４凸面とが形成されることを特徴とする請求項２に記載の男性用機能性パンツ。
【請求項４】
前記収容部の下側には陰嚢が収容される陰嚢ポケットが装着されることを特徴とする請求項１に記載の男性用機能性パンツ。
【請求項５】
前記陰嚢ポケットは前記陰嚢収容部の周縁に接合され上側に開口された入口部が形成されるポケット形態に形成されることを特徴とする請求項４に記載の男性用機能性パンツ。
【請求項６】
前記陰嚢ポケットの入口部には弾性バンドが取り付けられ、前記弾性バンドは入口部の形態を維持すると共に陰嚢と陰茎の間を弾性支持することを特徴とする請求項５に記載の男性用機能性パンツ。
【請求項７】
前記陰嚢ポケットの入口部には支持バンドが取り付けられ、前記支持バンドは陰嚢の下部を弾性支持して陰茎が立てられるようにすると共に陰嚢を支えることを特徴とする請求項５に記載の男性用機能性パンツ。
【請求項８】
パンツ本体と、前記パンツ本体の前面に装着され陰茎が収容される陰茎収容部および陰嚢が収容される陰嚢収容部を備えた収容部とを含み、
前記収容部は前記パンツ本体の前面に接着され陰茎が収容される第１シート、および
前記第１シートの下側に位置し前記パンツ本体の前面に接着され陰嚢が収容される第２シートを含み、
前記第１シートの下段および第２シートの上段の間には互いに重なり接着剤によって接着される区画接着部が形成され、前記区画接着部は２つのシート間を相互連結すると共に陰茎と陰嚢が互いに接触するのを防止することを特徴とする男性用機能性パンツ。
【請求項９】
前記第１シートにはその上面に前記収容部の上段に接着剤によって接着される上部接着部が形成され、その両側側面には前記収容部の両側面に接着剤によって接着される第１の側面接着部が形成されることを特徴とする請求項８に記載の男性用機能性パンツ。
【請求項１０】
前記第２シートには前記第１シートの下側に位置しその両側側面に前記収容部の側面に接着剤によって接着される第２の側面接着部が形成され、その下段には前記収容部の下側に接着剤によって接着される下部接着部が形成されることを特徴とする請求項８に記載の男性用機能性パンツ。
【請求項１１】
前記第１シートおよび第２シートのうちの少なくとも一つにはボリューム感を与えるために互いに重なった状態で接着される一つ以上のギャザー部が形成されることを特徴とする請求項８に記載の男性用機能性パンツ。
【請求項１２】
前記ギャザー部は収容シートの周縁を１回折って接合する第１折りたたみ部と、
前記第１折りたたみ部と対向するように配置され、前記第１折りたたみ部と同様に折って接合する第２折りたたみ部と、
前記第１折りたたみ部と前記第２折りたたみ部により前記パンツ本体の前方に帯形状に突出する突出部とを含むことを特徴とする請求項１１に記載の男性用機能性パンツ。
【請求項１３】
前記第１シートと前記第２シートの周縁および前記第１シートと前記第２シートの間には区画バンドが接合され、前記区画バンドは前記第１シートおよび前記第２シートより小さい弾性変形率を有する材質で形成されることを特徴とする請求項８に記載の男性用機能性パンツ。
【請求項１４】
前記区画バンドは前記第１シートの両側周縁に接合される第１バンド部と、
前記第１バンド部の下側に延びて前記陰嚢収容部の両側周縁に接合される第２バンド部と、
前記第１シートと前記第２シートの間に接合されて前記第１シートと前記第２シートの間を区画する第３バンド部とを含むことを特徴とする請求項１３に記載の男性用機能性パンツ。
【発明の詳細な説明】
【技術分野】
【０００１】
本発明は、陰茎が収容される陰嚢収容部および陰嚢が収容される陰嚢収容部が備えられて陰茎と陰嚢を無理なく収容でき、陰茎と陰嚢との間および陰茎と陰嚢が身体と接触することを防止することができる男性用機能性パンツに関する。
【背景技術】
【０００２】
最近、着こなしなどが強調される傾向にあって男性用パンツの場合も着用時に人体に密着させる傾向がある。このような男性用パンツを着用する場合、陰茎および陰嚢がパンツの弾力によって相互密着したり股に接触した状態になって陰嚢の温度を上昇させることになり睾丸および副睾丸の精子の生成および培養能力を低下させるだけでなく、湿気によって嚢湿症および湿疹などを誘発させるという問題点があった。このような問題点を考慮して陰茎および陰嚢がパンツから圧迫されずに自然な状態で分離収容されるようにした男性用機能性パンツが考案されている。
【０００３】
従来の男性用機能性パンツは特許文献１に記載されているように、上段枠にバンドが形成され両側下部に脚貫通孔が形成され、上部中央に位置した裁縫線部分の前面と裏面に突出部が形成されている陰茎ポケットと、下部に位置して外側に突出するように形成される陰嚢ポケットとからなり、陰嚢ポケットは中央には裁縫線が縦方向に返し縫いされ両側には裁縫線が縦方向から横方向に連続して返し縫いされるようになっている。
【先行技術文献】
【特許文献】
【０００４】
【特許文献１】韓国実用新案公開第２０−２０１３−０００５５６５号公報（２０１３年０９月２５日）
【発明の概要】
【発明が解決しようとする課題】
【０００５】
したがって、本発明の目的は、パンツ本体の前面に陰茎が収容される陰茎収容部と陰嚢が収容される陰嚢収容部とを備えて陰茎と陰嚢が互いに接触したり陰茎と陰嚢が股に接触することを防止することができる男性用機能性パンツを提供することにある。
【０００６】
本発明の他の目的は、陰茎収容部と陰嚢収容部を第１シートと第２シートを相互接合または縫製して形成するため、製造が簡単で生産性を向上させると共に製造費用を減ることができる男性用機能性パンツを提供することにある。
【０００７】
本発明のまた他の目的は、第１シートと第２シートの相互接合面に凹部が形成されて第１シートと第２シートを相互接合すれば凹部によって陰茎収容部と陰嚢収容部が相互区画されるので、陰茎収容部と陰嚢収容部とを区画するための別途の区画部が不要となるので製造工程を単純化することができ、デザインをきれいにすることができる男性用機能性パンツを提供することにある。
【０００８】
本発明のまた他の目的は、第１シートおよび第２シートにギャザー部を形成してボリューム感を確保することができる男性用機能性パンツを提供することにある。
【０００９】
本発明のまた他の目的は、第１シートの周縁、第２シートの周縁および第１シートと第２シートの間に区画バンドを接合してパンツ本体と第１シートの間、パンツ本体と第２シートの間または２つのシート間を区画する男性用機能性パンツを提供することにある。
【課題を解決するための手段】
【００１０】
したがって、本発明の男性用機能性パンツは、パンツ本体と、前記パンツ本体の前面に装着され陰茎が収容される陰茎収容部および陰嚢が収容される陰嚢収容部を備えた収容部とを含み、前記収容部は前記パンツ本体の左側に装着される第１シートと、前記パンツ本体の右側に装着される第２シートが相互接合されて形成され、前記第１シートと第２シートの接合部は陰茎が収容される第１凸部と、陰嚢が収容される第２凸部と、第１凸部と第２凸部の間に形成されて前記陰茎収容部と陰嚢収容部の間を区画する凹部とを含む。
【００１１】
前記第１シートはその一面に曲面形態に突出した第１凸面と、前記第１凸面の下側に延びて凹むような形態に形成される第１凹面と、前記第１凹面の下側に延びて曲面形態に突出した第２凸面とが形成されることを特徴とする。
【００１２】
前記第２シートはその一面に前記第１凸面と接合されて第１凸部を形成する第３凸面と、前記第３凸面の下側に形成され前記第１凹面と接合されて凹部を形成する第２凹面と、前記第２凸面と接合されて第２凸部を形成する第４凸面とが形成されることを特徴とする。
【００１３】
前記収容部の下側には陰嚢が収容される陰嚢ポケットが装着されることを特徴とする。
【００１４】
前記陰嚢ポケットは前記陰嚢収容部の周縁に接合され上側に開口された入口部が形成されるポケット形態に形成されることを特徴とする。
【００１５】
前記陰嚢ポケットの入口部には弾性バンドが取り付けられ、前記弾性バンドは入口部の形態を維持すると共に陰嚢と陰茎の間を弾性支持することを特徴とする。
【００１６】
前記陰嚢ポケットの入口部には支持バンドが取り付けられ、前記支持バンドは陰嚢の下部を弾性支持して陰茎が立てられるようにすると共に陰嚢が支えられることを特徴とする。
【００１７】
本発明の男性用機能性パンツは、パンツ本体と、前記パンツ本体の前面に装着され陰茎が収容される陰茎収容部および陰嚢が収容される陰嚢収容部を備えた収容部とを含み、前記収容部は前記パンツ本体の前面に接着され陰茎が収容される第１シートと、前記第１シートの下側に位置し前記パンツ本体の前面に接着され陰嚢が収容される第２シートとを含み、前記第１シートの下段および第２シートの上段の間には互いに重なり接着剤によって接着される区画接着部が形成され、前記区画接着部は２つのシート間を相互連結すると共に陰茎と陰嚢が互いに接触するのを防止することを特徴とする。
【００１８】
前記第１シートはその上面に前記収容部の上段に接着剤によって接着される上部接着部が形成され、その両側側面には前記収容部の両側面に接着剤によって接着される第１の側面接着部が形成されることを特徴とする。
【００１９】
前記第２シートは前記第１シートの下側に位置しその両側側面に前記収容部の側面に接着剤によって接着される第２の側面接着部が形成され、その下段には前記収容部の下側に接着剤によって接着される下部接着部が形成されることを特徴とする。
【００２０】
前記第１シートおよび第２シートのうちの少なくとも一つにはボリューム感を与えるために互いに重なった状態で接着される一つまたは一つ以上のギャザー部が形成されることを特徴とする。
【００２１】
前記ギャザー部は収容シートの周縁を１回折って接合する第１折りたたみ部と、前記第１折りたたみ部と対向するように配置され第１折りたたみ部と同様に折って接合する第２折りたたみ部と、前記第１折りたたみ部と第２折りたたみ部により前記パンツ本体の前方に帯形状に突出する突出部とを含むことを特徴とする。
【００２２】
前記第１シートと第２シートの周縁および前記第１シートと第２シートの間には区画バンドが接合され、前記区画バンドは第１シートおよび第２シートより小さい弾性変形率を有する材質で形成されることを特徴とする。
【００２３】
前記区画バンドは前記第１シートの両側周縁に接合される第１バンド部と、前記第１バンド部の下側に延びて前記陰嚢収容部の両側周縁に接合される第２バンド部と、前記第１シートと前記第２シートの間に接合されて前記第１シートと前記第２シートの間を区画する第３バンド部とを含むことを特徴とする。
【発明の効果】
【００２４】
前記のように、本発明の男性用機能性パンツは、パンツ本体の前面に陰茎が収容される陰茎収容部と陰嚢が収容される陰嚢収容部とを備えて陰茎と陰嚢が互いに接触したり陰茎と陰嚢が股に接触するのを防止することができる。
【００２５】
また、本発明の男性用機能性パンツは、陰茎収容部と陰嚢収容部を第１シートと第２シートを相互接合または縫製して形成するため、製造が簡単で生産性を向上させると共に製造費用を減ることができる。
【００２６】
また、本発明の男性用機能性パンツは、第１シートと第２シートの間に２つのシート間を相互接着して連結する接着部を形成することによって、接着部が第１シートと第２シートの間を区画する役割を果たして別途の区画部が不要となるので製造が容易で、便利である。
【００２７】
また、本発明の男性用機能性パンツは、第１シートと第２シートの相互接合面に凹部が形成されて第１シートと第２シートを相互接合すれば凹部によって陰茎収容部と陰嚢収容部が相互区画されるので、陰茎収容部と陰嚢収容部とを区画するための別途の区画部が不要となるので製造工程を単純化することができ、デザインをきれいにすることができる。
【００２８】
また、本発明の男性用機能性パンツは、第１シートおよび第２シートにギャザー部を形成してボリューム感を確保することができる。
【００２９】
また、本発明の男性用機能性パンツは、第１シートの周縁、第２シートの周縁および第１シートと第２シートの間に区画バンドを接合してパンツ本体と第１シートの間、パンツ本体と第２シートの間または２つのシート間を区画することができる。
【図面の簡単な説明】
【００３０】
【図１】本発明の第１実施例による男性用機能性パンツの斜視図である。
【図２】本発明の第１実施例による収容部の断面図である。
【図３】本発明の第１実施例による第１シートの平面図である。
【図４】本発明の第１実施例による第２シートの平面図である。
【図５】本発明の第２実施例による収容部の斜視図である。
【図６】本発明の第３実施例による男性用機能性パンツの斜視図である。
【図７】本発明の第３実施例による収容部の平面図である。
【図８】本発明の第３実施例による収容部に形成されるギャザー部の斜視図である。
【図９】本発明の一実施例による区画バンドの平面図である。
【図１０】本発明の他の実施例による区画バンドの平面図である。
【発明を実施するための形態】
【００３１】
以下、添付図面を参照して本発明による実施例を詳しく説明する。また、以下の図面において、構成要素の大きさや形状などは説明の便宜および明確性のために誇張されたものである。また、本発明の構成および作用を考慮して特に定義された用語は使用者、運用者の意図または慣例により異なることができる。このような用語に対する定義は本明細書全般にわたった内容に基づいて下さなければならない。
【００３２】
図１は本発明の第１実施例による男性用機能性パンツの斜視図であり、図２は本発明の第１実施例による男性用機能性パンツの断面図である。
【００３３】
図１および図２を参照すれば、本発明の第１実施例による機能性パンツは、パンツ本体１０と、パンツ本体１０の前方内面に縫製または接合によって付着して陰嚢と陰茎が収容される収容部２０とを含む。
【００３４】
パンツ本体１０は上側に腰を囲むバンド１２が取り付けられ、下側には両分岐に分離されて脚が通過する脚通過ホール１４が形成される。
【００３５】
このようなパンツ本体１０は四角ボックス形状のパンツを適用することができ、三角形状のパンツを適用することもできる。つまり、パンツはいかなる形態であれ、すべての男性用パンツに適用可能である。
【００３６】
収容部２０は陰茎１００が収容される陰茎収容部２２と、陰嚢１１０が収容される陰嚢収容部２４とを含む。ここで、収容部２０は左側に配置される第１シート３０と、第１シート３０と縫製または接合によって結合し右側に配置される第２シート４０とを含む。
【００３７】
第１シート３０と第２シート４０はパンツ本体１０と同一の材質で形成することができ、パンツ本体１０に比べて伸縮性の高い弾性力を有する繊維で形成することができる。
【００３８】
第１シート３０と第２シート４０を相互接合する接合部には凸に突出して陰茎１００が収容される第１凸部５２と、第１凸部５２の下側に陰茎収容部２２と陰嚢収容部２４との間を区画するように凹むような形態に形成される凹部５４と、凹部５４の下側の前方に凸に突出して陰嚢１１０が収容される第２凸部５６とが形成される。
【００３９】
このように、第１凸部５２、凹部５４および第２凸部５６を形成することができるように第１シート３０と第２シート４０の向き合う面は曲面形態に形成される。
【００４０】
つまり、第１シート３０は、図３に示されているように、その一面に前方に突出した第１凸面３２と、第１凸面３２の下側に形成され前方に突出した第２凸面３６と、第１凸面３２と第２凸面３６の間に形成されて陰茎収容部２２と陰嚢収容部２４を区画する第１凹面３４とを有する。
【００４１】
そして、第２シート４０は、図４に示されているように、その一面に第１凸面３２と相互接合される第３凸面４２と、第２凸面３６と相互接合される第４凸面４６と、第１凹面３４と相互接合される第２凹面４４とを有する。
【００４２】
第１シート３０は、パンツ本体１０の左側に縫製または接合され、第２シート４０はパンツ本体１０の右側に縫製または接合され、第１シート３０と第２シート４０の向き合う面は縫製または接合される。
【００４３】
したがって、第１シート３０の第１凸面３２と第２シート４０の第３凸面４２が相互縫製されて陰茎１００が収容される空間を確保する第１凸部５２を形成し、第１シート３０の第２凸面３６と第２シート４０の第４凸面４６が相互縫製されて陰嚢１１０が収容される空間を確保する第２凸部５６を形成し、第１シート３０の第１凹面３４と第２シート４０の第２凹面４４が相互縫製されて陰茎収容部２２と陰嚢収容部２４の間を区画して陰茎１００と陰嚢１１０が分離するようにする凹部５４とを形成する。
【００４４】
このように、本発明の一実施例による男性用機能性パンツは、陰茎収容部と陰嚢収容部が第１シートと第２シートを相互接合すれば２つの凸部と１つの凹部が一体に形成されるので、陰茎収容部と陰嚢収容部を区画するための別途の区画部を形成する必要がなくて製造工程を単純化することができ、デザインをきれいにすることができる。
【００４５】
図５は本発明の第２実施例による収容部を示すパンツ内面の斜視図である。
【００４６】
本実施例による収容部２０は陰茎１００が収容される陰茎収容部２２と、陰嚢１１０が収容される陰嚢収容部２４と、収容部の内面に付着して陰嚢が収容される陰嚢ポケット６０とを含む。
【００４７】
陰茎収容部２２および陰嚢収容部２４は上記実施例で説明した陰茎収容部２２および陰嚢収容部２４と同一である。
【００４８】
陰嚢ポケット６０は収容部２０の下側周縁に縫製または接合され上側が開放されたポケット形態に形成されて陰嚢１１０が収容される。
【００４９】
陰嚢ポケット６０の入口部６４には弾性バンド６２が装着されて陰嚢ポケット入口部の形態を維持して陰嚢がより便利に収容されるようにする。
【００５０】
弾性バンド６２は陰茎１００と陰嚢１１０の間を弾性支持して陰茎１００と陰嚢１１０が相互接触するのを防止する。
【００５１】
陰嚢ポケット６０の入口部６４には支持バンドが装着されて陰嚢の下面を弾性支持して陰茎と陰嚢を持ち上げる役割を果たし、これによって、陰茎が立てられた状態を維持すると共に陰嚢が持ち上げて陰嚢が身体と接触するのを防止する。
【００５２】
したがって、陰嚢ポケット６０によって陰茎１００と陰嚢１１０の間の接触を防止することができ、陰茎１００を持ち上げることで陰茎１００が立てられた状態を維持することになる。
【００５３】
ここで、弾性バンドと支持バンドは同一の弾性力を有するバンド形態に形成されることができ、その役割により弾性バンドと支持バンドは異なる形態を有することができる。
【００５４】
図６は本発明の第３実施例による男性用機能性パンツの斜視図であり、図７は本発明の第３実施例による収容部の平面図である。
【００５５】
図６および図７を参照すれば、本発明の第３実施例による機能性パンツはパンツ本体１０と、パンツ本体１０の前方に接合されて陰茎および陰嚢が収容される収容部７０とを含む。
【００５６】
パンツ本体１０はその前面に陰茎と陰嚢が収容される収容部７０が形成され、パンツ本体１０の上側には腰を囲むバンド１２が取り付けられ、その下側は両分岐に分離されて脚が通過する脚通過ホール１４が形成される。
【００５７】
収容部７０は陰茎が収容される第１シート７２と、第１シート７２の下側に配置され陰嚢が収容される第２シート７４とを含む。
【００５８】
第１シート７２はパンツ本体１０と異なる繊維材質で形成される。つまり、第１シート７２はパンツ本体１０に比べて弾性変形率が大きい繊維材質で形成されて陰茎が無理なく収容されるようにする。また、第１シート７２は通気性のために多数の通孔を有し不透明な材質で形成することができる。
【００５９】
第２シート７４は第１シート７２の下側に位置して陰嚢が収容されパンツ本体１０と異なる繊維材質で形成される。このような第２シート７４はパンツ本体１０に比べて弾性変形率が大きい繊維材質で形成されて陰嚢が無理なく収容されるようにする。
【００６０】
第２シート７４は第１シート７２と同一の弾性変形率を有する同一の繊維材質で形成することができ、第１シート７２に比べて弾性変形率が大きい繊維材質で形成することができる。
【００６１】
第１シート７２および第２シート７４は接着剤によってパンツ本体１０に接着されるので製造が容易で便利である。
【００６２】
第１シート７２はその上面にパンツ本体１０の上段に接着剤によって接着される上部接着部９０が形成され、その両側側面にはパンツ本体１０に接着剤によって接着される第１の側面接着部９２が形成される。
【００６３】
そして、第２シート７４は第１シート７２の下側に位置しその両側側面にパンツ本体１０に接着剤によって接着される第２の側面接着部９６が形成され、その下段にはパンツ本体１０に接着剤によって接着される下部接着部９４が形成される。
【００６４】
そして、第１シート７２の下段と第２シート７４の上段は互いに重なり、接着剤によって接着される区画接着部１０２が形成されて二つのシート７２、７４の間を相互連結すると共に二つのシート７２、７４の間を区画する役割を果たす。
【００６５】
つまり、区画接着部１０２は接着剤によって伸縮性が殆どない状態になって第１シート７２と第２シート７４の間を区画して陰嚢と陰茎が互いに接触するのを防止する役割を果たす。したがって、二つのシート７２、７４の間を区画するための別途の区画部が不要となるので製造工程が短縮され生産性を向上させることができる。
【００６６】
ここで、前記接着部は両面テープが用いられ、接着剤を塗布して使うのも可能である。そして、接着剤は熱によって接着される熱硬化性接着剤が用いられ、常温で接着される接着剤が用いられる。
【００６７】
第１シート７２には陰茎が収容できる空間を確保するようにボリューム感を与える第１ギャザー部７６が形成される。
【００６８】
第１ギャザー部７６は第１シート７２の上面、下面、または両側側面のうちの少なくとも１面を互いに重ねた状態で折った後、接着して形成してボリューム感を確保することができるようにする。
【００６９】
このような第１ギャザー部７６は図８に示されているように、第１シート７２の一側周縁を１回折って形成する第１折りたたみ部７６ａと、第１折りたたみ部７６ａと向き合うように位置し第１折りたたみ部７６ａと同様な方法で折って形成する第２折りたたみ部７６ｃと、第１折りたたみ部７６ａと第２折りたたみ部７６ｃによって前方に帯形状に突出するように形成される突出部７６ｂとを含む。
【００７０】
第２シート７４には陰嚢を収容可能に空間を確保することができるようにボリューム感を与える第２ギャザー部７８が形成される。
【００７１】
ここで、第２ギャザー部７８は第１ギャザー部７６と同一の形態であり、第２シート７４の上面、下面、または両側側面のうちの少なくとも１面に形成することができる。
【００７２】
第１シート７２と第２シート７４には第１シート７２とパンツ本体１０の間を区画したり第２シート７４とパンツ本体１０の間を区画したり第１シート７２と第２シート７４の間を区画する区画バンド８０が接着される。
【００７３】
ここで、区画バンド８０は第１シート７２および第２シート７４より小さい弾性変形率を有する材質で形成され、具体的には、ラバー材質、シリコン材質、繊維材質などで形成することができる。
【００７４】
一実施例による区画バンド８０は図９に示されているように、第１シート７２の両側周縁に接着される第１バンド部８２と、第１バンド部８２の下側に延びて第２シート７４の周縁に接着される第２バンド部８４と、第１シート７２と第２シート７４の間に接着される第３バンド部８６とから構成される。
【００７５】
第１バンド部８２は第１シート７２の両側周縁に接着されて第１シート７２とパンツ本体１０の間を区画して陰茎が第１シート７２から離脱するのを防止する役割を果たす。
【００７６】
そして、第２バンド部８４は第２シート７４の両側周縁に接着されて第２シート７４とパンツ本体１０の間を区画して陰嚢が第２シート８４から離脱するのを防止する役割を果たす。
【００７７】
そして、第３バンド部８６は第１シート７２と第２シート７４の間を区画して陰茎と陰嚢が互いに接触するのを防止する役割を果たす。
【００７８】
他の実施例による区画バンド１１０は図１０に示されているように、第１シート７２の両側周縁に接合される第１バンド部１１２と、第１バンド部１１２の下側に延びて第２シート７４の周縁に接合される第２バンド部１１６と、第１シート７２と第２シート７４の間に接合される第３バンド部１１４と、第２シート７４の下段周縁に接着され第２バンド部１１６と連結される第４バンド部１１８とを含む。
【００７９】
このような他の実施例による区画バンド１１０は第２シート７４の下側に第４バンド部１１８が形成されて陰嚢が身体と接触するのを防止する役割を果たす。
【００８０】
このように構成される本発明の第３実施例による男性用機能性パンツは、パンツ本体に比べて弾性変形率が大きい第１シートおよび第２シートをパンツ本体に接着して形成することによって第１シートおよび第２シートをパンツ本体に結合しやすく、便利である。
【００８１】
また、第１シートの周縁、第２シートの周縁および第１シートと第２シートの間に区画バンドを接合してパンツ本体と第１シートの間、パンツ本体と第２シートの間または第２シートと第１シートの間を区画して陰茎または陰嚢が収容シートから離脱するのを防止すると共に陰茎と陰嚢が互いに接触するのを防止することができる。
【００８２】
以上、本発明を特定の望ましい実施例を例にあげて説明したが、本発明は前記実施例に限定されず、本発明の精神を逸脱しない範囲内で当該発明の属する技術分野で通常の知識を有する者によって様々な変更および修正が可能であることが理解できる。
【産業上の利用可能性】
【００８３】
本発明は、男性用パンツに陰嚢と陰茎が収容される収容部を備えて陰茎と陰嚢を互いに分離し、陰茎と陰嚢が身体に接触するのを防止することができて精子の生成および培養能力を向上させ、湿気による各種病気が発生するのを防止することができ、着用感が良い男性用パンツを提供する。
【符号の説明】
【００８４】
１０…パンツ本体、２０，７０…収容部、２２…陰茎収容部、２４…陰嚢収容部、
３０，７２…第１シート、３２…第１凸面、３４…第１凹面、３６…第２凸面、
４０，７４…第２シート、４２…第３凸面、４４…第２凹面、４６…第４凸面、
５２…第１凸部、５４…凹部、５６…第２凸部、
６０…陰嚢ポケット、６２…弾性バンド、
９０，９２，９４，９６，１０２…接着部、７６，７８…ギャザー部、８０，１１０…区画バンド。
【図１】
2016156122.tif 000003
【図２】
2016156122.tif 000004
【図３】
2016156122.tif 000005
【図４】
2016156122.tif 000006
【図５】
2016156122.tif 000007
【図６】
2016156122.tif 000008
【図７】
2016156122.tif 000009
【図８】
2016156122.tif 000010
【図９】
2016156122.tif 000011
【図１０】
2016156122.tif 000012
【手続補正書】
【提出日】平成28年5月11日(2016.5.11)
【手続補正１】
【補正対象書類名】明細書
【補正対象項目名】全文
【補正方法】変更
【補正の内容】
【発明の詳細な説明】
【技術分野】
【０００１】
本発明は、陰茎が収容される陰嚢収容部および陰嚢が収容される陰嚢収容部が備えられて陰茎と陰嚢を無理なく収容でき、陰茎と陰嚢との間および陰茎と陰嚢が身体と接触することを防止することができる男性用機能性パンツに関する。
【背景技術】
【０００２】
最近、着こなしなどが強調される傾向にあって男性用パンツの場合も着用時に人体に密着させる傾向がある。このような男性用パンツを着用する場合、陰茎および陰嚢がパンツの弾力によって相互密着したり股に接触した状態になって陰嚢の温度を上昇させることになり睾丸および副睾丸の精子の生成および培養能力を低下させるだけでなく、湿気によって嚢湿症および湿疹などを誘発させるという問題点があった。このような問題点を考慮して陰茎および陰嚢がパンツから圧迫されずに自然な状態で分離収容されるようにした男性用機能性パンツが考案されている。
【０００３】
従来の男性用機能性パンツは特許文献１に記載されているように、上段枠にバンドが形成され両側下部に脚貫通孔が形成され、上部中央に位置した裁縫線部分の前面と裏面に突出部が形成されている陰茎ポケットと、下部に位置して外側に突出するように形成される陰嚢ポケットとからなり、陰嚢ポケットは中央には裁縫線が縦方向に返し縫いされ両側には裁縫線が縦方向から横方向に連続して返し縫いされるようになっている。
【先行技術文献】
【特許文献】
【０００４】
【特許文献１】韓国実用新案公開第２０−２０１３−０００５５６５号公報（２０１３年０９月２５日）
【発明の概要】
【発明が解決しようとする課題】
【０００５】
したがって、本発明の目的は、パンツ本体の前面に陰茎が収容される陰茎収容部と陰嚢が収容される陰嚢収容部とを備えて陰茎と陰嚢が互いに接触したり陰茎と陰嚢が股に接触することを防止することができる男性用機能性パンツを提供することにある。
【０００６】
本発明の他の目的は、陰茎収容部と陰嚢収容部を第１シートと第２シートを相互接合または縫製して形成するため、製造が簡単で生産性を向上させると共に製造費用を減ることができる男性用機能性パンツを提供することにある。
【０００７】
本発明のまた他の目的は、第１シートと第２シートの相互接合面に凹部が形成されて第１シートと第２シートを相互接合すれば凹部によって陰茎収容部と陰嚢収容部が相互区画されるので、陰茎収容部と陰嚢収容部とを区画するための別途の区画部が不要となるので製造工程を単純化することができ、デザインをきれいにすることができる男性用機能性パンツを提供することにある。
【０００８】
本発明のまた他の目的は、第１シートおよび第２シートにギャザー部を形成してボリューム感を確保することができる男性用機能性パンツを提供することにある。
【０００９】
本発明のまた他の目的は、第１シートの周縁、第２シートの周縁および第１シートと第２シートの間に区画バンドを接合してパンツ本体と第１シートの間、パンツ本体と第２シートの間または２つのシート間を区画する男性用機能性パンツを提供することにある。
【課題を解決するための手段】
【００１０】
したがって、本発明の男性用機能性パンツは、パンツ本体と、前記パンツ本体の前面に装着され陰茎が収容される陰茎収容部および陰嚢が収容される陰嚢収容部を備えた収容部とを含み、前記収容部は前記パンツ本体の左側に装着される第１シートと、前記パンツ本体の右側に装着される第２シートが相互接合されて形成され、前記第１シートと第２シートの接合部は陰茎が収容される第１凸部と、陰嚢が収容される第２凸部と、第１凸部と第２凸部の間に形成されて前記陰茎収容部と陰嚢収容部の間を区画する凹部とを含む。
【００１１】
前記第１シートはその一面に曲面形態に突出した第１凸面と、前記第１凸面の下側に延びて凹むような形態に形成される第１凹面と、前記第１凹面の下側に延びて曲面形態に突出した第２凸面とが形成されることを特徴とする。
【００１２】
前記第２シートはその一面に前記第１凸面と接合されて第１凸部を形成する第３凸面と、前記第３凸面の下側に形成され前記第１凹面と接合されて凹部を形成する第２凹面と、前記第２凸面と接合されて第２凸部を形成する第４凸面とが形成されることを特徴とする。
【００１３】
前記収容部の下側には陰嚢が収容される陰嚢ポケットが装着されることを特徴とする。
【００１４】
前記陰嚢ポケットは前記陰嚢収容部の周縁に接合され上側に開口された入口部が形成されるポケット形態に形成されることを特徴とする。
【００１５】
前記陰嚢ポケットの入口部には弾性バンドが取り付けられ、前記弾性バンドは入口部の形態を維持すると共に陰嚢と陰茎の間を弾性支持することを特徴とする。
【００１６】
前記陰嚢ポケットの入口部には支持バンドが取り付けられ、前記支持バンドは陰嚢の下部を弾性支持して陰茎が立てられるようにすると共に陰嚢が支えられることを特徴とする。
【００１７】
本発明の男性用機能性パンツは、パンツ本体と、前記パンツ本体の前面に装着され陰茎が収容される陰茎収容部および陰嚢が収容される陰嚢収容部を備えた収容部とを含み、前記収容部は前記パンツ本体の前面に接着され陰茎が収容される第１シートと、前記第１シートの下側に位置し前記パンツ本体の前面に接着され陰嚢が収容される第２シートとを含み、前記第１シートの下段および第２シートの上段の間には互いに重なり接着剤によって接着される区画接着部が形成され、前記区画接着部は２つのシート間を相互連結すると共に陰茎と陰嚢が互いに接触するのを防止することを特徴とする。
【００１８】
前記第１シートはその上面に前記収容部の上段に接着剤によって接着される上部接着部が形成され、その両側側面には前記収容部の両側面に接着剤によって接着される第１の側面接着部が形成されることを特徴とする。
【００１９】
前記第２シートは前記第１シートの下側に位置しその両側側面に前記収容部の側面に接着剤によって接着される第２の側面接着部が形成され、その下段には前記収容部の下側に接着剤によって接着される下部接着部が形成されることを特徴とする。
【００２０】
前記第１シートおよび第２シートのうちの少なくとも一つにはボリューム感を与えるために互いに重なった状態で接着される一つまたは一つ以上のギャザー部が形成されることを特徴とする。
【００２１】
前記ギャザー部は収容シートの周縁を１回折って接合する第１折りたたみ部と、前記第１折りたたみ部と対向するように配置され第１折りたたみ部と同様に折って接合する第２折りたたみ部と、前記第１折りたたみ部と第２折りたたみ部により前記パンツ本体の前方に帯形状に突出する突出部とを含むことを特徴とする。
【００２２】
前記第１シートと第２シートの周縁および前記第１シートと第２シートの間には区画バンドが接合され、前記区画バンドは第１シートおよび第２シートより小さい弾性変形率を有する材質で形成されることを特徴とする。
【００２３】
前記区画バンドは前記第１シートの両側周縁に接合される第１バンド部と、前記第１バンド部の下側に延びて前記陰嚢収容部の両側周縁に接合される第２バンド部と、前記第１シートと前記第２シートの間に接合されて前記第１シートと前記第２シートの間を区画する第３バンド部とを含むことを特徴とする。
【発明の効果】
【００２４】
前記のように、本発明の男性用機能性パンツは、パンツ本体の前面に陰茎が収容される陰茎収容部と陰嚢が収容される陰嚢収容部とを備えて陰茎と陰嚢が互いに接触したり陰茎と陰嚢が股に接触するのを防止することができる。
【００２５】
また、本発明の男性用機能性パンツは、陰茎収容部と陰嚢収容部を第１シートと第２シートを相互接合または縫製して形成するため、製造が簡単で生産性を向上させると共に製造費用を減ることができる。
【００２６】
また、本発明の男性用機能性パンツは、第１シートと第２シートの間に２つのシート間を相互接着して連結する接着部を形成することによって、接着部が第１シートと第２シートの間を区画する役割を果たして別途の区画部が不要となるので製造が容易で、便利である。
【００２７】
また、本発明の男性用機能性パンツは、第１シートと第２シートの相互接合面に凹部が形成されて第１シートと第２シートを相互接合すれば凹部によって陰茎収容部と陰嚢収容部が相互区画されるので、陰茎収容部と陰嚢収容部とを区画するための別途の区画部が不要となるので製造工程を単純化することができ、デザインをきれいにすることができる。
【００２８】
また、本発明の男性用機能性パンツは、第１シートおよび第２シートにギャザー部を形成してボリューム感を確保することができる。
【００２９】
また、本発明の男性用機能性パンツは、第１シートの周縁、第２シートの周縁および第１シートと第２シートの間に区画バンドを接合してパンツ本体と第１シートの間、パンツ本体と第２シートの間または２つのシート間を区画することができる。
【図面の簡単な説明】
【００３０】
【図１】本発明の第１実施例による男性用機能性パンツの斜視図である。
【図２】本発明の第１実施例による収容部の断面図である。
【図３】本発明の第１実施例による第１シートの平面図である。
【図４】本発明の第１実施例による第２シートの平面図である。
【図５】本発明の第２実施例による収容部の斜視図である。
【図６】本発明の第３実施例による男性用機能性パンツの斜視図である。
【図７】本発明の第３実施例による収容部の平面図である。
【図８】本発明の第３実施例による収容部に形成されるギャザー部の斜視図である。
【図９】本発明の一実施例による区画バンドの平面図である。
【図１０】本発明の他の実施例による区画バンドの平面図である。
【発明を実施するための形態】
【００３１】
以下、添付図面を参照して本発明による実施例を詳しく説明する。また、以下の図面において、構成要素の大きさや形状などは説明の便宜および明確性のために誇張されたものである。また、本発明の構成および作用を考慮して特に定義された用語は使用者、運用者の意図または慣例により異なることができる。このような用語に対する定義は本明細書全般にわたった内容に基づいて下さなければならない。
【００３２】
図１は本発明の第１実施例による男性用機能性パンツの斜視図であり、図２は本発明の第１実施例による男性用機能性パンツの断面図である。
【００３３】
図１および図２を参照すれば、本発明の第１実施例による機能性パンツは、パンツ本体１０と、パンツ本体１０の前方内面に縫製または接合によって付着して陰嚢と陰茎が収容される収容部２０とを含む。
【００３４】
パンツ本体１０は上側に腰を囲むバンド１２が取り付けられ、下側には両分岐に分離されて脚が通過する脚通過ホール１４が形成される。
【００３５】
このようなパンツ本体１０は四角ボックス形状のパンツを適用することができ、三角形状のパンツを適用することもできる。つまり、パンツはいかなる形態であれ、すべての男性用パンツに適用可能である。
【００３６】
収容部２０は陰茎１００が収容される陰茎収容部２２と、陰嚢１１０が収容される陰嚢収容部２４とを含む。ここで、収容部２０は左側に配置される第１シート３０と、第１シート３０と縫製または接合によって結合し右側に配置される第２シート４０とを含む。
【００３７】
第１シート３０と第２シート４０はパンツ本体１０と同一の材質で形成することができ、パンツ本体１０に比べて伸縮性の高い弾性力を有する繊維で形成することができる。
【００３８】
第１シート３０と第２シート４０を相互接合する接合部には凸に突出して陰茎１００が収容される第１凸部５２と、第１凸部５２の下側に陰茎収容部２２と陰嚢収容部２４との間を区画するように凹むような形態に形成される凹部５４と、凹部５４の下側の前方に凸に突出して陰嚢１１０が収容される第２凸部５６とが形成される。
【００３９】
このように、第１凸部５２、凹部５４および第２凸部５６を形成することができるように第１シート３０と第２シート４０の向き合う面は曲面形態に形成される。
【００４０】
つまり、第１シート３０は、図３に示されているように、その一面に前方に突出した第１凸面３２と、第１凸面３２の下側に形成され前方に突出した第２凸面３６と、第１凸面３２と第２凸面３６の間に形成されて陰茎収容部２２と陰嚢収容部２４を区画する第１凹面３４とを有する。
【００４１】
そして、第２シート４０は、図４に示されているように、その一面に第１凸面３２と相互接合される第３凸面４２と、第２凸面３６と相互接合される第４凸面４６と、第１凹面３４と相互接合される第２凹面４４とを有する。
【００４２】
第１シート３０は、パンツ本体１０の左側に縫製または接合され、第２シート４０はパンツ本体１０の右側に縫製または接合され、第１シート３０と第２シート４０の向き合う面は縫製または接合される。
【００４３】
したがって、第１シート３０の第１凸面３２と第２シート４０の第３凸面４２が相互縫製されて陰茎１００が収容される空間を確保する第１凸部５２を形成し、第１シート３０の第２凸面３６と第２シート４０の第４凸面４６が相互縫製されて陰嚢１１０が収容される空間を確保する第２凸部５６を形成し、第１シート３０の第１凹面３４と第２シート４０の第２凹面４４が相互縫製されて陰茎収容部２２と陰嚢収容部２４の間を区画して陰茎１００と陰嚢１１０が分離するようにする凹部５４とを形成する。
【００４４】
このように、本発明の一実施例による男性用機能性パンツは、陰茎収容部と陰嚢収容部が第１シートと第２シートを相互接合すれば２つの凸部と１つの凹部が一体に形成されるので、陰茎収容部と陰嚢収容部を区画するための別途の区画部を形成する必要がなくて製造工程を単純化することができ、デザインをきれいにすることができる。
【００４５】
図５は本発明の第２実施例による収容部を示すパンツ内面の斜視図である。
【００４６】
本実施例による収容部２０は陰茎１００が収容される陰茎収容部２２と、陰嚢１１０が収容される陰嚢収容部２４と、収容部の内面に付着して陰嚢が収容される陰嚢ポケット６０とを含む。
【００４７】
陰茎収容部２２および陰嚢収容部２４は上記実施例で説明した陰茎収容部２２および陰嚢収容部２４と同一である。
【００４８】
陰嚢ポケット６０は収容部２０の下側周縁に縫製または接合され上側が開放されたポケット形態に形成されて陰嚢１１０が収容される。
【００４９】
陰嚢ポケット６０の入口部６４には弾性バンド６２が装着されて陰嚢ポケット入口部の形態を維持して陰嚢がより便利に収容されるようにする。
【００５０】
弾性バンド６２は陰茎１００と陰嚢１１０の間を弾性支持して陰茎１００と陰嚢１１０が相互接触するのを防止する。
【００５１】
陰嚢ポケット６０の入口部６４には支持バンドが装着されて陰嚢の下面を弾性支持して陰茎と陰嚢を持ち上げる役割を果たし、これによって、陰茎が立てられた状態を維持すると共に陰嚢が持ち上げて陰嚢が身体と接触するのを防止する。
【００５２】
したがって、陰嚢ポケット６０によって陰茎１００と陰嚢１１０の間の接触を防止することができ、陰茎１００を持ち上げることで陰茎１００が立てられた状態を維持することになる。
【００５３】
ここで、弾性バンドと支持バンドは同一の弾性力を有するバンド形態に形成されることができ、その役割により弾性バンドと支持バンドは異なる形態を有することができる。
【００５４】
図６は本発明の第３実施例による男性用機能性パンツの斜視図であり、図７は本発明の第３実施例による収容部の平面図である。
【００５５】
図６および図７を参照すれば、本発明の第３実施例による機能性パンツはパンツ本体１０と、パンツ本体１０の前方に接合されて陰茎および陰嚢が収容される収容部７０とを含む。
【００５６】
パンツ本体１０はその前面に陰茎と陰嚢が収容される収容部７０が形成され、パンツ本体１０の上側には腰を囲むバンド１２が取り付けられ、その下側は両分岐に分離されて脚が通過する脚通過ホール１４が形成される。
【００５７】
収容部７０は陰茎が収容される第１シート７２と、第１シート７２の下側に配置され陰嚢が収容される第２シート７４とを含む。
【００５８】
第１シート７２はパンツ本体１０と異なる繊維材質で形成される。つまり、第１シート７２はパンツ本体１０に比べて弾性変形率が大きい繊維材質で形成されて陰茎が無理なく収容されるようにする。また、第１シート７２は通気性のために多数の通孔を有し不透明な材質で形成することができる。
【００５９】
第２シート７４は第１シート７２の下側に位置して陰嚢が収容されパンツ本体１０と異なる繊維材質で形成される。このような第２シート７４はパンツ本体１０に比べて弾性変形率が大きい繊維材質で形成されて陰嚢が無理なく収容されるようにする。
【００６０】
第２シート７４は第１シート７２と同一の弾性変形率を有する同一の繊維材質で形成することができ、第１シート７２に比べて弾性変形率が大きい繊維材質で形成することができる。
【００６１】
第１シート７２および第２シート７４は接着剤によってパンツ本体１０に接着されるので製造が容易で便利である。
【００６２】
第１シート７２はその上面にパンツ本体１０の上段に接着剤によって接着される上部接着部９０が形成され、その両側側面にはパンツ本体１０に接着剤によって接着される第１の側面接着部９２が形成される。
【００６３】
そして、第２シート７４は第１シート７２の下側に位置しその両側側面にパンツ本体１０に接着剤によって接着される第２の側面接着部９６が形成され、その下段にはパンツ本体１０に接着剤によって接着される下部接着部９４が形成される。
【００６４】
そして、第１シート７２の下段と第２シート７４の上段は互いに重なり、接着剤によって接着される区画接着部１０２が形成されて二つのシート７２、７４の間を相互連結すると共に二つのシート７２、７４の間を区画する役割を果たす。
【００６５】
つまり、区画接着部１０２は接着剤によって伸縮性が殆どない状態になって第１シート７２と第２シート７４の間を区画して陰嚢と陰茎が互いに接触するのを防止する役割を果たす。したがって、二つのシート７２、７４の間を区画するための別途の区画部が不要となるので製造工程が短縮され生産性を向上させることができる。
【００６６】
ここで、前記接着部は両面テープが用いられ、接着剤を塗布して使うのも可能である。そして、接着剤は熱によって接着される熱硬化性接着剤が用いられ、常温で接着される接着剤が用いられる。
【００６７】
第１シート７２には陰茎が収容できる空間を確保するようにボリューム感を与える第１ギャザー部７６が形成される。
【００６８】
第１ギャザー部７６は第１シート７２の上面、下面、または両側側面のうちの少なくとも１面を互いに重ねた状態で折った後、接着して形成してボリューム感を確保することができるようにする。
【００６９】
このような第１ギャザー部７６は図８に示されているように、第１シート７２の一側周縁を１回折って形成する第１折りたたみ部７６ａと、第１折りたたみ部７６ａと向き合うように位置し第１折りたたみ部７６ａと同様な方法で折って形成する第２折りたたみ部７６ｃと、第１折りたたみ部７６ａと第２折りたたみ部７６ｃによって前方に帯形状に突出するように形成される突出部７６ｂとを含む。
【００７０】
第２シート７４には陰嚢を収容可能に空間を確保することができるようにボリューム感を与える第２ギャザー部７８が形成される。
【００７１】
ここで、第２ギャザー部７８は第１ギャザー部７６と同一の形態であり、第２シート７４の上面、下面、または両側側面のうちの少なくとも１面に形成することができる。
【００７２】
第１シート７２と第２シート７４には第１シート７２とパンツ本体１０の間を区画したり第２シート７４とパンツ本体１０の間を区画したり第１シート７２と第２シート７４の間を区画する区画バンド８０が接着される。
【００７３】
ここで、区画バンド８０は第１シート７２および第２シート７４より小さい弾性変形率を有する材質で形成され、具体的には、ラバー材質、シリコン材質、繊維材質などで形成することができる。
【００７４】
一実施例による区画バンド８０は図９に示されているように、第１シート７２の両側周縁に接着される第１バンド部８２と、第１バンド部８２の下側に延びて第２シート７４の周縁に接着される第２バンド部８４と、第１シート７２と第２シート７４の間に接着される第３バンド部８６とから構成される。
【００７５】
第１バンド部８２は第１シート７２の両側周縁に接着されて第１シート７２とパンツ本体１０の間を区画して陰茎が第１シート７２から離脱するのを防止する役割を果たす。
【００７６】
そして、第２バンド部８４は第２シート７４の両側周縁に接着されて第２シート７４とパンツ本体１０の間を区画して陰嚢が第２シート８４から離脱するのを防止する役割を果たす。
【００７７】
そして、第３バンド部８６は第１シート７２と第２シート７４の間を区画して陰茎と陰嚢が互いに接触するのを防止する役割を果たす。
【００７８】
他の実施例による区画バンド１１０は図１０に示されているように、第１シート７２の両側周縁に接合される第１バンド部１１２と、第１バンド部１１２の下側に延びて第２シート７４の周縁に接合される第２バンド部１１６と、第１シート７２と第２シート７４の間に接合される第３バンド部１１４と、第２シート７４の下段周縁に接着され第２バンド部１１６と連結される第４バンド部１１８とを含む。
【００７９】
このような他の実施例による区画バンド１１０は第２シート７４の下側に第４バンド部１１８が形成されて陰嚢が身体と接触するのを防止する役割を果たす。
【００８０】
このように構成される本発明の第３実施例による男性用機能性パンツは、パンツ本体に比べて弾性変形率が大きい第１シートおよび第２シートをパンツ本体に接着して形成することによって第１シートおよび第２シートをパンツ本体に結合しやすく、便利である。
【００８１】
また、第１シートの周縁、第２シートの周縁および第１シートと第２シートの間に区画バンドを接合してパンツ本体と第１シートの間、パンツ本体と第２シートの間または第２シートと第１シートの間を区画して陰茎または陰嚢が収容シートから離脱するのを防止すると共に陰茎と陰嚢が互いに接触するのを防止することができる。
【００８２】
以上、本発明を特定の望ましい実施例を例にあげて説明したが、本発明は前記実施例に限定されず、本発明の精神を逸脱しない範囲内で当該発明の属する技術分野で通常の知識を有する者によって様々な変更および修正が可能であることが理解できる。
【産業上の利用可能性】
【００８３】
本発明は、男性用パンツに陰嚢と陰茎が収容される収容部を備えて陰茎と陰嚢を互いに分離し、陰茎と陰嚢が身体に接触するのを防止することができて精子の生成および培養能力を向上させ、湿気による各種病気が発生するのを防止することができ、着用感が良い男性用パンツを提供する。
以下に、本願出願の当初の特許請求の範囲に記載された発明を付記する。
［１］パンツ本体と、前記パンツ本体の前面に装着され陰茎が収容される陰茎収容部および陰嚢が収容される陰嚢収容部を備えた収容部とを含み、
前記収容部は前記パンツ本体の左側に装着される第１シートと、前記パンツ本体の右側に装着される第２シートが相互接合されて形成され、
前記第１シートと第２シートの接合部は陰茎が収容される第１凸部と、陰嚢が収容される第２凸部と、第１凸部と第２凸部の間に形成されて前記陰茎収容部と陰嚢収容部の間を区画する凹部とを含むことを特徴とする男性用機能性パンツ。
［２］前記第１シートにはその一面に曲面形態に突出した第１凸面と、
前記第１凸面の下側に延びて凹むような形態に形成される第１凹面と、
前記第１凹面の下側に延びて曲面形態に突出した第２凸面とが形成されることを特徴とする［１］に記載の男性用機能性パンツ。
［３］前記第２シートにはその一面に前記第１凸面と接合されて第１凸部を形成する第３凸面と、
前記第３凸面の下側に形成され前記第１凹面と接合されて凹部を形成する第２凹面と、
前記第２凸面と接合されて第２凸部を形成する第４凸面とが形成されることを特徴とする［２］に記載の男性用機能性パンツ。
［４］前記収容部の下側には陰嚢が収容される陰嚢ポケットが装着されることを特徴とする［１］に記載の男性用機能性パンツ。
［５］前記陰嚢ポケットは前記陰嚢収容部の周縁に接合され上側に開口された入口部が形成されるポケット形態に形成されることを特徴とする［４］に記載の男性用機能性パンツ。
［６］前記陰嚢ポケットの入口部には弾性バンドが取り付けられ、前記弾性バンドは入口部の形態を維持すると共に陰嚢と陰茎の間を弾性支持することを特徴とする［５］に記載の男性用機能性パンツ。
［７］前記陰嚢ポケットの入口部には支持バンドが取り付けられ、前記支持バンドは陰嚢の下部を弾性支持して陰茎が立てられるようにすると共に陰嚢を支えることを特徴とする［５］に記載の男性用機能性パンツ。
［８］パンツ本体と、前記パンツ本体の前面に装着され陰茎が収容される陰茎収容部および陰嚢が収容される陰嚢収容部を備えた収容部とを含み、
前記収容部は前記パンツ本体の前面に接着され陰茎が収容される第１シート、および
前記第１シートの下側に位置し前記パンツ本体の前面に接着され陰嚢が収容される第２シートを含み、
前記第１シートの下段および第２シートの上段の間には互いに重なり接着剤によって接着される区画接着部が形成され、前記区画接着部は２つのシート間を相互連結すると共に陰茎と陰嚢が互いに接触するのを防止することを特徴とする男性用機能性パンツ。
［９］前記第１シートにはその上面に前記収容部の上段に接着剤によって接着される上部接着部が形成され、その両側側面には前記収容部の両側面に接着剤によって接着される第１の側面接着部が形成されることを特徴とする［８］に記載の男性用機能性パンツ。
［１０］前記第２シートには前記第１シートの下側に位置しその両側側面に前記収容部の側面に接着剤によって接着される第２の側面接着部が形成され、その下段には前記収容部の下側に接着剤によって接着される下部接着部が形成されることを特徴とする［８］に記載の男性用機能性パンツ。
［１１］前記第１シートおよび第２シートのうちの少なくとも一つにはボリューム感を与えるために互いに重なった状態で接着される一つ以上のギャザー部が形成されることを特徴とする［８］に記載の男性用機能性パンツ。
［１２］前記ギャザー部は収容シートの周縁を１回折って接合する第１折りたたみ部と、
前記第１折りたたみ部と対向するように配置され、前記第１折りたたみ部と同様に折って接合する第２折りたたみ部と、
前記第１折りたたみ部と前記第２折りたたみ部により前記パンツ本体の前方に帯形状に突出する突出部とを含むことを特徴とする［１１］に記載の男性用機能性パンツ。
［１３］前記第１シートと前記第２シートの周縁および前記第１シートと前記第２シートの間には区画バンドが接合され、前記区画バンドは前記第１シートおよび前記第２シートより小さい弾性変形率を有する材質で形成されることを特徴とする［８］に記載の男性用機能性パンツ。
［１４］前記区画バンドは前記第１シートの両側周縁に接合される第１バンド部と、
前記第１バンド部の下側に延びて前記陰嚢収容部の両側周縁に接合される第２バンド部と、
前記第１シートと前記第２シートの間に接合されて前記第１シートと前記第２シートの間を区画する第３バンド部とを含むことを特徴とする［１３］に記載の男性用機能性パンツ。
【符号の説明】
【００８４】
１０…パンツ本体、２０，７０…収容部、２２…陰茎収容部、２４…陰嚢収容部、
３０，７２…第１シート、３２…第１凸面、３４…第１凹面、３６…第２凸面、
４０，７４…第２シート、４２…第３凸面、４４…第２凹面、４６…第４凸面、
５２…第１凸部、５４…凹部、５６…第２凸部、
６０…陰嚢ポケット、６２…弾性バンド、
９０，９２，９４，９６，１０２…接着部、７６，７８…ギャザー部、８０，１１０…区画バンド。
【手続補正２】
【補正対象書類名】特許請求の範囲
【補正対象項目名】全文
【補正方法】変更
【補正の内容】
【特許請求の範囲】
【請求項１】
パンツ本体と、前記パンツ本体の前面に装着され陰茎が収容される陰茎収容部および陰嚢が収容される陰嚢収容部を備えた収容部とを含み、
前記収容部は前記パンツ本体の前面に接着され陰茎が収容される第１シート、および
前記第１シートの下側に位置し前記パンツ本体の前面に接着され陰嚢が収容される第２シートを含み、
前記第１シートの下段および第２シートの上段の間には互いに重なり接着剤によって接着される区画接着部が形成され、前記区画接着部は２つのシート間を相互連結すると共に陰茎と陰嚢が互いに接触するのを防止することを特徴とする男性用機能性パンツ。
【請求項２】
前記第１シートにはその上面に前記収容部の上段に接着剤によって接着される上部接着部が形成され、その両側側面には前記収容部の両側面に接着剤によって接着される第１の側面接着部が形成されることを特徴とする請求項１に記載の男性用機能性パンツ。
【請求項３】
前記第２シートには前記第１シートの下側に位置しその両側側面に前記収容部の側面に接着剤によって接着される第２の側面接着部が形成され、その下段には前記収容部の下側に接着剤によって接着される下部接着部が形成されることを特徴とする請求項１に記載の男性用機能性パンツ。
【請求項４】
前記第１シートおよび第２シートのうちの少なくとも一つにはボリューム感を与えるために互いに重なった状態で接着される一つ以上のギャザー部が形成されることを特徴とする請求項１に記載の男性用機能性パンツ。
【請求項５】
前記ギャザー部は収容シートの周縁を１回折って接合する第１折りたたみ部と、
前記第１折りたたみ部と対向するように配置され、前記第１折りたたみ部と同様に折って接合する第２折りたたみ部と、
前記第１折りたたみ部と前記第２折りたたみ部により前記パンツ本体の前方に帯形状に突出する突出部とを含むことを特徴とする請求項４に記載の男性用機能性パンツ。
【請求項６】
前記第１シートと前記第２シートの周縁および前記第１シートと前記第２シートの間には区画バンドが接合され、前記区画バンドは前記第１シートおよび前記第２シートより小さい弾性変形率を有する材質で形成されることを特徴とする請求項１に記載の男性用機能性パンツ。
【請求項７】
前記区画バンドは前記第１シートの両側周縁に接合される第１バンド部と、
前記第１バンド部の下側に延びて前記陰嚢収容部の両側周縁に接合される第２バンド部と、
前記第１シートと前記第２シートの間に接合されて前記第１シートと前記第２シートの間を区画する第３バンド部とを含むことを特徴とする請求項６に記載の男性用機能性パンツ。